(57)【要約】【課題】  電源を切ることが可能なキーボードを提供することを課題とする。【解決手段】  本考案は、電源を切ることが可能なキーボードに関わるもので、その本体には若干の入力/出力ポートがあるマイクロコントローラがあり、本体外側には若干の文字入力キー、若干の数字入力キー、若干のコントロールキーおよび少なくとも１つのファンクションキーがあり、かつ該文字入力キー、数字入力キー、コントロールキーおよび少なくとも１つのファンクションキーは、それぞれ該マイクロコントローラの入力/出力ポートに結合しており、該キーボードの有効化または無効化に用いる、該マイクロコントローラに結合された有効化/無効化キーがあることを特徴とする。【選択図】    図１
0003129500.tif 000002
【実用新案登録請求の範囲】
【請求項１】
ケースに若干の入力/出力ポートがあるマイクロコントローラがあり、ケースの外側に若干の文字入力キー、若干の数字入力キー、若干のコントロールキーおよび少なくとも１つのファンクションキーがあり、かつ該文字入力キー、数字入力キー、コントロールキーおよび少なくとも１つのファンクションキーがそれぞれ該マイクロコントローラの入力/出力ポートに結合しているキーボードにおいて、該キーボードの有効化または無効化に用いる、該マイクロコントローラに結合した有効化/無効化キーがあることを特徴とする電源を切ることが可能なキーボード。
【請求項２】
請求項１記載の電源を切ることが可能なキーボードにおいて、該有効化/無効化キーが、該文字入力キー、数字入力キー、コントロールキーおよび少なくとも１つのファンクションキーが結合された該マイクロコントローラとは異なる入力/出力ポートに結合し、該マイクロコントローラがその他の入力/出力ポートの信号をロック/解除することをコントロールすることができ、これによりこれらの入力/出力ポートに結合されたボタンを無効化/有効化するキーボード。
【請求項３】
請求項１記載の電源を切ることが可能なキーボードにおいて、該有効化/無効化キーが、該マイクロコントローラの接地ピンおよび接地の間に結合し、該マイクロコントローラに供給される電源を切／入することができ、これによりこれらの入力/出力ポートに結合されたボタンを無効化/有効化するキーボード。
【請求項４】
請求項１記載の電源を切ることが可能なキーボードにおいて、該有効化/無効化キーが、該マイクロコントローラの電源ピンおよび電源の間に結合し、該マイクロコントローラに供給される電源を切／入することができ、これによりこれらの入力/出力ポートに結合されたボタンを無効化/有効化するキーボード。
【請求項５】
請求項４記載の電源を切ることが可能なキーボードにおいて、該電源をＣＯＭポート、ＰＳ／２ポート、ＵＳＢポートから得られた直流電源またはキーボード自体のバッテリー電源とするキーボード。
【請求項６】
請求項１記載の電源を切ることが可能なキーボードにおいて、さらに該キーボードの状態を表示するのに用いられる、該マイクロコントローラに結合したインジケータがあるキーボード。
【請求項７】
請求項６記載の電源を切ることが可能なキーボードにおいて、該インジケータが発光ダイオードであるキーボード。
【請求項８】
請求項１記載の電源を切ることが可能なキーボードにおいて、スピーカーの音量または音質をコントロールするために、若干の音源コントロールキーをさらに含むキーボード。
【請求項９】
請求項８記載の電源を切ることが可能なキーボードにおいて、該音源コントロールキーが、Ｂａｓｓ  Ｂｏｏｓｔキー、Ｌｏｕｄｎｅｓｓキー、Ｂａｓｓ  ｕｐキー、Ｂａｓｓ  Ｄｏｗｎキー、Ｔｒｅｍｂｌｅ  ｕｐキーおよびＴｒｅｍｂｌｅ  Ｄｏｗｎキーを含むキーボード。
【考案の詳細な説明】
【技術分野】
【０００１】
本考案は、キーボード、特に該キーボードを有効化または無効化するために用いる有効化/無効化キーのある電源を切ることが可能なキーボードに関する。
【背景技術】
【０００２】
公知のキーボードは、通常、若干の文字入力キー（アルファベットＡ〜Ｚ）、若干の数字入力キー（０〜９）、若干のコントロールキー（Ｓｈｉｆｔ、Ｃａｐｓ  Ｌｏｃｋ、Ｃｔｒｌ、Ａｌｔ、Ｔａｂ、Ｂａｃｋｓｐａｃｅなど）、少なくとも１つのファンクションキー（Ｆ１〜Ｆ１２）および少なくとも１つの言語切り換えキー（注音インプットメソッドのＳｈｉｆｔキー、ハングル之ＫＯＲ１キーおよび日本語の半角/全角キー）などがあり、ユーザが英語、中国語、日本語またはハングルなどのその他の文字を入力できるようになっている。
【考案の開示】
【考案が解決しようとする課題】
【０００３】
しかし、上記の構造のキーボードは、キーの数が極めて多いため、その体積がデスクの上の約１／１０の面積を占め、ユーザがキーボードを使用しない時に、キーボードが占める面積を使用することができず、たまにきずとなっている。
【０００４】
また、現在、マルチメディアコンピュータの外付けスピーカーの音量、音質などは、すべてスピーカーまたはコンピュータでコントロールを行なう必要があり、使用上、比較的不便である。
【課題を解決するための手段】
【０００５】
上記の公知技術の欠点を解決するため、本考案の主な目的は、キーボードの有効化または無効化に用いられる有効化/無効化キーがある電源を切ることが可能なキーボードを提供することであり、ユーザがキーボードを使用しない時、またはその他の物をデスクの上におく必要がある時に、キーボードの電源を切ってから、物をキーボードの上に置くことができるようにし、これによって、キーボードが占めるデスクを二重に使用することができると同時に、キーボードに誤って触れることもなくなる。
【０００６】
上記の公知技術の欠点を解決するため、本考案の主な目的は、スピーカーの音量または音質をコントロールするため、若干の音源コントロールキーがある電源を切ることが可能なキーボードを提供することである。
【考案の効果】
【０００７】
上記の目的を達成するため、本考案の電源を切ることが可能なキーボードの本体には、若干の入力/出力ポートがあるマイクロコントローラがあり、本体の外側には、若干の文字入力キー、若干の数字入力キー、若干のコントロールキーおよび少なくとも１つのファンクションキーがあり、かつ該文字入力キー、数字入力キー、コントロールキーおよび少なくとも１つのファンクションキーは、それぞれ該マイクロコントローラの入力/出力ポートに結合しており、該キーボードの有効化または無効化に用いる、該マイクロコントローラに結合された有効化/無効化キーがあることを特徴とする。
【考案を実施するための最良の形態】
【０００８】
図１から図３までのうち、図１は本考案の比較的優れた実施例の電源を切ることが可能なキーボードのボタン配置見取図を表し、図２は本考案の電源を切ることが可能なキーボードのボタン配置見取図を表し、図３は本考案の電源を切ることが可能なキーボードの回路見取図を表している。図１のように、本考案の電源を切ることが可能なキーボード１は、若干の文字入力キー１０、若干の数字入力キー２０、若干のコントロールキー３０、少なくとも１つのファンクションキー４０、有効化/無効化キー５０およびマイクロコントローラ６０の組み合わせにより構成される。
【０００９】
そのうち、該文字入力キー１０は、少なくともアルファベットＡ〜Ｚキーを含み、該数字入力キー２０は少なくとも数字０〜９キーを含み、該コントロールキー３０は少なくともＳｈｉｆｔ、Ｃａｐｓ  Ｌｏｃｋ、Ｃｔｒｌ、Ａｌｔ、Ｔａｂ、Ｂａｃｋｓｐａｃｅなどのキーを含み、該ファンクションキー４０は少なくともＦ１〜Ｆ１２などのキーを含み、これはいずれも公知のキーボードの技術であり、本考案の重点ではないため、ここでは詳しくは述べない。また、該文字入力キー１０、数字入力キー２０、コントロールキー３０および少なくとも１つのファンクションキー４０は、該キーボード１のケース（図に未表示）から露出しており、かつそれぞれ該マイクロコントローラ６０の入力/出力ポートに結合している（図３参照）。
【００１０】
該有効化/無効化キー５０は、該マイクロコントローラ６０に結合し、該キーボードの有効化または無効化に用いられる。図３のように、該有効化/無効化キー６０は、該文字入力キー１０、数字入力キー２０、コントロールキー３０および少なくとも１つのファンクションキー４０が結合された該マイクロコントローラ６０とは異なる入力/出力ポート（例えば、Ｐ９４ピンであるが、その限りでない）に結合し、該マイクロコントローラ６０をコントロールし、その他の入力/出力ポート（Ｐ９４ピン以外の入力/出力ポートピン）の信号をロック（Ｌｏｃｋ）/解除（Ｕｎｌｏｃｋ）することができ、これにより、これらの入力/出力ポートに結合された文字入力キー１０、数字入力キー２０、コントロールキー３０および少なくとも１つのファンクションキー４０を無効化/有効化する。
【００１１】
該マイクロコントローラ６０は、若干の入力/出力ポートをもち、それぞれ該文字入力キー１０、数字入力キー２０、コントロールキー３０、少なくとも１つのファンクションキー４０および該有効化/無効化キー５０に結合し、該有効化/無効化キー５０のコントロールを受け、これらの入力/出力ポートに結合された文字入力キー１０、数字入力キー２０、コントロールキー３０および少なくとも１つのファンクションキー４０を無効化/有効化することができる。
【００１２】
また、本考案のキーボード１は、少なくとも１つのインジケータ７０をさらにもち、該インジケータ７０は、例えば発光ダイオード（ＬＥＤ）とするがその限りでなく、該キーボードの状態表示に用いられる。
【００１３】
本考案のキーボード１により、ユーザがキーボードを使用しない時、またはその他の物がデスクに置く時に、キーボードを無効化してから、物をキーボードの上に置くことができ、これによって、キーボードが占めるデスクを二重に使用することができると同時に、キーボードに誤って触れることもなくなるため、本考案のキーボード１は、公知のキーボードの欠点を確実に改善することができる。
【００１４】
図３のように、該有効化/無効化キー５０は、該マイクロコントローラの接地ピン（ＶＮＮ）および接地（ＧＮＤ）の間に結合することもでき、該マイクロコントローラ６０に供給される電源を切／入することこができ、これによって、これらの入力/出力ポートに結合された文字入力キー１０、数字入力キー２０、コントロールキー３０および少なくとも１つのファンクションキー４０を無効化/有効化する。
【００１５】
また、該有効化/無効化キー５０は、該マイクロコントローラ６０の電源ピン（ＶＤＤ）および電源（ＶＣＣ）の間に結合することもでき（図に未表示）、該マイクロコントローラ６０に供給される電源を切／入することこができ、これによって、これらの入力/出力ポートに結合された文字入力キー１０、数字入力キー２０、コントロールキー３０および少なくとも１つのファンクションキー４０を無効化/有効化する。
【００１６】
また、本考案のキーボード１は、スピーカー（図に未表示）の音量または音質をコントロールするのに用いられる若干の音源コントロールキー８０をさらに含む。該音源コントロールキー８０は、さらにＢａｓｓ  Ｂｏｏｓｔキー８１、Ｌｏｕｄｎｅｓｓキー８２、Ｂａｓｓ  ｕｐキー８３、Ｂａｓｓ  Ｄｏｗｎキー８４、Ｔｒｅｍｂｌｅ  ｕｐキー８５およびＴｒｅｍｂｌｅ  Ｄｏｗｎキー８６などを含む。そのため、上記の音源コントロールキー８０から、直接キーボード１において、該スピーカーの音量または音質をコントロールすることができるため、本考案のキーボード１は、公知のキーボードの欠点を確実に改善することができる。
【００１７】
以上をまとめると、本考案の電源を切ることが可能なキーボードは、該キーボードの有効化または無効化に用いる有効化/無効化キーがあり、ユーザがキーボードを使用しない時、またはその他の物をデスクの上に置く必要がある時、キーボードの電源を切ってから、物をキーボードの上に置くことができ、このようにして、キーボードが占めるデスクを二重に使用することができると同時に、キーボードに誤って触れることもなくなる。また、スピーカー（図に未表示）の音量または音質などコントロールするのに用いられる若干の音源コントロールキー８０の利点もあるため、公知のキーボードの欠点を確実に改善することができる。
【００１８】
本考案で開示された内容は、比較的優れた実施例であり、本考案の技術思想の局部的な変更または修正を行ない、この技術に習熟した人が推測しやすいものは、本案の特許の範疇から外れない。
【００１９】
以上、本考案は、目的、手段、効果のいずれにおいても、公知の技術とは異なる特徴が存在しており、かつ考案は実用的であり、実用新案の要件に適合している。
【図面の簡単な説明】
【００２０】
【図１】本考案の比較的優れた実施例の電源を切ることが可能なキーボードのボタン配置見取図である。
【図２】本考案の入力キー、数字入力キー、コントロールキー、ファンクションキーおよび有効化/無効化キーのマトリクス配置見取図である。
【図３】本考案の電源を切ることが可能なキーボードの回路見取図である。
【符号の説明】
【００２１】
１  キーボード
１０  文字入力キー
２０  数字入力キー
３０  コントロールキー
４０  ファンクションキー
５０  有効化/無効化キー
６０  マイクロコントローラ
７０  インジケータ
８０  音源コントロールキー
８１  Ｂａｓｓ  Ｂｏｏｓｔキー
８２  Ｌｏｕｄｎｅｓｓキー
８３  Ｂａｓｓ  ｕｐキー
８４  Ｂａｓｓ  Ｄｏｗｎキー
８５  Ｔｒｅｍｂｌｅ  ｕｐキー
８６  Ｔｒｅｍｂｌｅ  Ｄｏｗｎキー
【図１】
0003129500.tif 000003
【図２】
0003129500.tif 000004
【図３】
0003129500.tif 000005